(57)【要約】      （修正有）【課題】首回りの防水性が高く、着やすく脱ぎやすいノンファスナーウエットスーツを提供する。【解決手段】身体全体を出し入れする開口部を上端に設けたウエットスーツ１０は、上方に開口部を形成するネック１と、スーツ内側の裏面に着脱自在に取り付けたインナーフラップから立ち上がって設けられたインナーネック４と、ウエットスーツ１０の外側に一端を付設したアウターフラップから立ち上がって設けられたアウターネック３とを備える。上記の構成において、前記各ネック１、３を折り込むことで、首回りを防水出来る様にして、アウターフラップ付ネックエントリーウエットスーツを形成する。【選択図】図１
0003175096.tif 000002
【実用新案登録請求の範囲】
【請求項１】
身体全体を出し入れする開口部を上端に設けたウエットスーツ１０において、
ウエットスーツ１０の上方に開口部を形成するネック１と、
スーツ内側の裏面に着脱自在に取り付けたインナーフラップから立ち上がって設けられたインナーネック４と、
ウエットスーツ１０の外側に一端を付設したアウターフラップから立ち上がって設けられたアウターネック３と、を備えたことを特徴とするアウターフラップ付ネックエントリーウエットスーツ。
【請求項２】
身体全体を出し入れする開口部を上端に設けたウエットスーツ１０において、
ウエットスーツ１０の上方に開口部を形成するネック１と、
スーツ内側の裏面に着脱自在に取り付けたフラップから立ち上がって設けられたインナーネック４を有するインナーフラップと、
ウエットスーツ１０の外側に一端を付設したフラップから立ち上がって設けられたアウターネック３を有するアウターフラップとからなり、ウエットスーツ１０を着用時に、ネック１、インナーネック４、アウターネック３のうち二つ又は三つの組み合わせで、ネック１、アウターネック３を折り込むことで首回りに少なくとも４層以上の多層に重ねて被覆し防水することを特徴とするアウターフラップ付ネックエントリーウエットスーツ。
【請求項３】
身体全体を出し入れする開口部を上端に設けたウエットスーツ１０において、
ウエットスーツ１０の上方に開口部を形成するネック１と、
スーツ内側の裏面に着脱自在に取り付けたフラップから立ち上がって設けられたインナーネック４を有するインナーフラップと、
ウエットスーツ１０の外側に一端を付設したフラップから立ち上がって設けられたアウターネック３を有するアウターフラップとからなり、
前記各ネック１・３・４の高さを、インナーネック４の高さ＜開口部のネック１の高さ＜アウターネック３の高さ、としたことを特徴とするアウターフラップ付ネックエントリーウエットスーツ。
【請求項４】
身体全体を出し入れする開口部を上端に設けたウエットスーツ１０において、
ウエットスーツ１０の上方に開口部を形成するネック１と、
スーツ内側の裏面に着脱自在に取り付けたフラップから立ち上がって設けられたインナーネック４を有するインナーフラップと、
ウエットスーツ１０の外側に一端を付設したフラップから立ち上がって設けられたアウターネック３を有するアウターフラップとからなり、
前記各ネック１・３・４の高さを、インナーネック４の高さ＜開口部のネック１の高さ＜アウターネック３の高さ、とし
インナーネック４を首に通し、インナーネック４の襟縁に開口部分のネック１を外側から内側に折り入れて全首回りについて被覆しさらにアウターネック３がその被服部分を外側から内側に折り入れて被覆することを特徴とするアウターフラップ付ネックエントリーウエットスーツ。
【請求項５】
身体全体を出し入れする開口部を上端に設けたウエットスーツ１０において、
ウエットスーツ１０の上方に開口部を形成するネック１と、
スーツ内側の裏面に面ファスナーで着脱自在に取り付けたフラップから立ち上がって設けられたインナーネック４を有するインナーフラップと、
ウエットスーツ１０の外側に一端を縫着付設したフラップから立ち上がって設けられたアウターネック３とウエットスーツ１０に固定する面ファスナーを有するアウターフラップとからなり、
前記各ネック１・３・４の高さを、インナーネック４の高さ＜開口部のネック１の高さ＜アウターネック３の高さ、とし
前記各ネック１・３・４の口径は、インナーネック４の口径＜開口部のネック１の口径アウターネック３の口径」とし、
初めにインナーネック４を首に通し、次に開口部を形成するネック１をインナーネック４を覆うように首に通し、インナーネック４の襟縁に開口部分のネック１を外側から内側に折り入れて全首回りについて挟み込んで被覆しさらにアウターフラップを起こしてアウターネック３を首に通しアウターネック３をネック１の被覆部分へ外側から内側に折り入れて全首回りについて挟み込んで被覆し、アウターフラップを面ファスナーでウエットスーツ１０に固定して着用することを特徴とするアウターフラップ付ネックエントリーウエットスーツ。
【考案の詳細な説明】
【技術分野】
【０００１】
本考案は、身体全体を出し入れするための開口部を上端に有するウエットスーツであって、その首回りネックを改良したアウターフラップ付きネックエントリーウエットスーツに関する。
【背景技術】
【０００２】
従来のウエットスーツは、一般に前開き、背面開きの形態でスライドファスナーを設けて身体全体を出し入れするための開口部を設けている。
【０００３】
又、近年は、開口部を拡げて足から身体を通して着用するノンファスナーウエットスーツが開発されている。
身体全体を出し入れするための上端の開口部は、伸縮性の高い素材で、かなり広がり大半の日本人の身体の出し入れを可能にしている。
【０００４】
ノンファスナーウエットスーツを装着したときに開口部は首回りに該当するが身体全体を入れて着るためとその後脱いで出てくるための開口部は、首の寸法から比較すると、比較的口径大になるため、その部分の防水性が課題になっている。
その解決のために以下のようなものが開示されている。
【先行技術文献】
【特許文献】
【０００５】
【特許文献１】特開２０１１−６８２７号公報「首から着脱するドライスーツ」                                                                                特許文献１のウエットスーツは、ノンファスナーウエットスーツで、バックフラップ（可動衿カバー＝アウターフラップ）を設けた構造のものである。開口部のネックと、バックフラップのネックが、首回りにそれぞれ上下の位置で接触して防水している。首との接触は、バックフラップのネックと開口部のネック一枚がそれぞれ上下位置で独立しているので、防水性がもう一歩であった。
【０００６】
さて、首回りから水の浸入を防止するには、可及的に小さな開口部を形成して身体の首付近に密着する要請があるが、開口して体を出し入れするので開口幅は標準的必要寸法がある。
【０００７】
しかし、ユーザーは、開口部を大きくして着やすく脱ぎやすい要請と、その開口部が首回りになるので、首に密着して水が浸入しない密着防水性の要請という、相反することを切に求めている。
【考案の概要】
【考案が解決しようとする課題】
【０００８】
本考案が解決しようとする課題は、ウエットスーツにおいて、開口部を大きくして着やすく脱ぎやすい大きさの要請と、その開口部が首回りになるので、首に密着して水が浸入しない密着防水性の要請という、相反する要請を両立させることである。
【課題を解決するための手段】
【０００９】
本考案は、身体全体を出し入れする開口部を上端に設けたウエットスーツにおいて、ウエットスーツ１０の上方に開口部を形成するネック（立衿）と、スーツ内側の裏面に着脱自在に取り付けたフラップから立ち上がって設けられたインナーネック（立衿）を有するインナーフラップと、
ウエットスーツの外側に一端を付設したフラップから立ち上がって設けられたアウターネック（立衿）を有するアウターフラップと、を備えたアウターフラップ付ネックエントリーウエットスーツを提案する。
【００１０】
首回りにネックがエントリー（参入して差し込まれる）して首回りを締緩調節して防水するアウターフラップ付ウエットスーツである。
【００１１】
ウエットスーツを着用した時に、ネック１、インナーネック４、アウターネック３のうち二つ又は三つの組み合わせで、首回りに少なくとも４層以上の多層に重ねて防水する箇所が形成でき、より狭く首回りに密着するように、折り込んで差し込み多層化する構造になっている。
そのために、立ち起こされるネックの高さや折り込んでなお密着するためのネックの口径が極めて重要であり、本考案はその実際的観点から開発され、ネックエントリーによって防水性を高めたものである。
【００１２】
前記各ネック１・３・４の高さ関係は、「インナーネックの高さ＜開口部のネックの高さ＜アウターネックの高さ」、としたことも特徴の一つである。
又、前記各ネック１・３・４の口径は、「インナーネックの口径＜開口部のネックの口径＜アウターネックの口径」、の関係になる。
【００１３】
着用するときは、初めにインナーネック４を首に通し、次に開口部を形成するネック１を、インナーネック４を覆うように首に通し、インナーネック４の襟縁に開口部分のネック１を外側から内側に折り入れて全首回りについて挟み込んで被覆しさらにアウターフラップを起こしてアウターネック３を首に通しアウターネック３をネック１の被覆部分へ外側から内側に折り入れて全首回りについて挟み込んで被覆し、アウターフラップを面ファスナーでウエットスーツ１０に固定し、着用する。
【００１４】
ウエットスーツ１０本体は、ノンファスナーで、インナーフラップは、一側端（或いは両側端の場合もある）に離着手段＝面ファスナーを設けて仮止されており、背部から立起こされるアウターフラップも首を通したのち、面ファスナーで前面胸部に付着される。
【００１５】
離着手段は、着心地からすると面ファスナーが好ましいが、ベルベットファスナーやベルクロと称される面ファスナーに限定されるものではなく、微細な吸盤を多数個設けたグリップ力のある吸盤ファスナーやスライドファスナーでもよい。
【考案の効果】
【００１６】
（１）上方の開口部から身体を出し入れするウエットスーツにおいて、その開口部が首回りに当接するときに、首にしっくりとフィットして、浸水を防止できる。ネックは多層に折り返すことだけで締緩調整が可能である。
【００１７】
（２）着用方法が自然で、着用の説明が不要なくらいである。
インナーネック４を首に通し、次に開口部を形成するネック１をインナーネック４を覆うように首に通し、インナーネック４の襟縁に開口部分のネック１を外側から内側に折り入れて全首回りについて挟み込んで被覆しさらにアウターフラップを起こしてアウターネック３を首に通しアウターネック３をネック１の被覆部分へ外側から内側に折り入れて全首回りについて挟み込んで被覆するので、順次の折り返しのみの作業であるので、着用の説明が要らない。
締緩調整が可能であるから、より身体にフィットさせることができる。
【００１８】
（３）スーツ内側の裏面に着脱自在に離着手段で取付けたフラップから立ち上がって設けられた首通し孔を形成するインナーネック４を有するインナーフラップを設けたので、首回りの太さを調節するオーダーメイドの場合など、この部品で変化に対応できる。
オーダーメイドに対応でき、コスト軽減にも有用である。
【００１９】
インナーフラップは柔軟な伸縮性の生地で作成され、胸部に位置して開口部を裏面から閉塞するので、この介在は胸を厚く見せ、スタイルアップにもなる。
【図面の簡単な説明】
【００２０】
【図１】図１は、本考案に係るアウターフラップ付ネックエントリーウエットスーツの一実施例で、本考案を構成する部分を示すもので、分解した状態を正面と側面と背面から一列に示した説明図である。
【図２】図２は、図１の正面から見た状態で示す分解説明図である。
【図３】図３は、本考案に係る同じくウエットスーツの全体図で、正面と側面と背面から一列に示した説明図である。
【００２１】
【図４】図４は、ネック１からインナーフラップを引き出した状態で、インナーネック４を示す図面代用写真である。
【図５】図５は、本考案のウエットスーツの正面から見た写真で、ネック１を折り込んでインナーネック４の襟端を包み込んだ状態で、背後にアウターフラップが見える状態を示す図面代用写真である。
【００２２】
【図６】図６は、インナーネック４にネック１を被せ、さらにアウターネック３を首に通し、アウターネック３をネック１の被覆部分へ外側から内側に折り入れて全首回りについて挟み込んで被せて、首回りをしっかり包み込む状態の説明図である。
【図７】図７は、インナーネック４にネック１を被せ、さらにアウターネック３を首に通し、アウターネック３をネック１の被覆部分へは折り込まずに外側から全首回りに被せて、首回りをしっかり包み込む状態の説明図である。
【００２３】
【図８】図８は、ネック１を折り込んで２重にして、さらにアウターネック３を首に通し、アウターネック３を２重に折り込んでネック１の上部に４重に全首回りについて被せて、首回りをしっかり包み込む状態の説明図である。
【考案を実施するための最良の形態】
【００２４】
本考案は、身体全体を出し入れする開口部を上端に設けたウエットスーツ１０において、ウエットスーツ１０の上方に開口部を形成するネック１と、スーツ内側の裏面に着脱自在に取り付けたフラップから立ち上がって設けられたインナーネック４を有するインナーフラップと、ウエットスーツ１０の外側に一端を付設したフラップから立ち上がって設けられたアウターネック３を有するアウターフラップと、備えたアウターフラップ付ネックエントリーウエットスーツである。
【００２５】
インナーネック４の襟縁に開口部を形成するネック１を折り込んで被せ、さらにアウターフラップを起こしてアウターネック３を首に通し、アウターネック３をネック１の被覆部分へ外側から内側に折り入れて全首回りについて挟み込んで被せて、首回りをしっかり包み込む構造である。
【実施例１】
【００２６】
次に、本考案に係るアウターフラップ付ネックエントリーウエットスーツの一実施例を図面に基づいて説明する。
図１〜図８は本考案の同じ実施例である。
その中で、図４、図５は、その実施例の図面代用写真で、ネック１の折り込みやアウターフラップ（可動衿カバー）を示している。
【００２７】
図１は、本考案を構成する部分を示すもので、インナーネック４にネック１を被せさらにアウターネック３をネック１に被せる状態を分解して正面と側面と背面から一列に示した説明図である。
図示のように、この実施例は、身体全体を出し入れする開口部を上端に設けたウエットスーツ１０であって、ウエットスーツ１０の上方に開口部を形成するネック１と、スーツ内側の裏面に着脱自在に取り付けたフラップから立ち上がって設けられたインナーネック４を有するインナーフラップと、ウエットスーツ１０の外側に一端を付設したフラップから立ち上がって設けられたアウターネック３を有するアウターフラップと、を備えたことを特徴とするアウターフラップ付ネックエントリーウエットスーツである。
【００２８】
インナーフラップは、首が入るインナーネック４の周囲にフラップ（可動衿カバーで胸の方に長い面を設けている）を形成したもので、着脱自在である。
インナーネック４の口径は、頭部が通過し首回りに密着する口径になる。
【００２９】
図２は、図１の中の、正面から見た状態を示す分解説明図である。
インナーネック４に開口部を形成するネック１を被せ、さらにアウターフラップを起こしてアウターネック３を首に通し、アウターネック３をネック１に被せる構成であることを図示している。
【００３０】
又、各ネックは、この被せ方や折り返しの関係から、
各ネック１・３・４の高さ関係は、「インナーネック４の高さ＜開口部のネック１の高さ＜アウターネック３の高さ」、としている。
又、前記各ネック１・３・４の口径の関係は、「インナーネック４の口径＜開口部のネック１の口径＜アウターネック３の口径」としている。
【００３１】
素材については、各ネック１・３・４やインナーフラップ、アウターフラップは、その装着位置や用途の相違があるので、素材の肉厚や耐摩擦性のジャージ生地にするとか柔軟性をなどで適宜独自性をもって設計されている。
特に身体を通す必要のないインナーネック４とアウターネック３は、その口径が「頭部を通して首でよく締まる」程度で良い。
【００３２】
図３は、ウエットスーツ１０の全体を表す  正面  側面  背面で、アウターネック３のみが視認できるデザインになることを示している。
アウターフラップは、面ファスナーでウエットスーツ１０に固定される。
【００３３】
図４、図５は、実施例の図面代用写真である。
ウエットスーツを着るときは、図４の状態からインナーネック４を首に通し、ついで開口部のネック１を折り込んで図５の状態にする。
【００３４】
図６、図７には、ネック１が折り込まれてインナーネック４の襟端を覆っていることが示されている。
折り込み方では、図６のように、初めにインナーネック４を首に通し、次に開口部を形成するネック１をインナーネック４を覆うように首に通し、インナーネック４の襟縁に開口部分のネック１を外側から内側に折り入れて全首回りについて挟み込んで被覆しさらにアウターフラップを起こしてアウターネック３を首に通しアウターネック３をネック１の被覆部分へ外側から内側に折り入れて全首回りについて挟み込んで被覆することができる。
折り込みにより、首回りには、５層の箇所ができ、首回りは小さくでき、密着度は高まる。
【００３５】
図７は、にネック１を被せ、さらにアウターネック３を首に通して折り込むが、アウターネック３をネック１の被覆部分へは折り込まずに外側から全首回りに折り込み被せて、５層の箇所を形成し、首回りをしっかり包み込む状態の説明図である。
【００３６】
図８は、インナーネック４を外して、図７と同様の折り込み方をした状態の説明図であり、少なくとも４層の箇所を形成して、首回りを被覆したものを示している。
ネック１とアウターネック３の二つの組み合わせで、首回りに積層被覆して防水する。
各ネック１・３を外側から内側に折り込むには、相当の長さを設定し、かつ内側に折り込んだ時に皺が出ないように、折り込む屈折個所から上部を少しテーパーをもって口細になるようにするのが好ましく、ネックの高さとその側面視でのテーパー形状は独特の設計である。
折り込むことを想定せずに、短い通常の長さのネック１では、基本的に一重であり、開口部の首回りへの密着性は弱い。
【００３７】
本考案のネックエントリーウエットスーツでは、ネック１とアウターネック３を折り込むことを前提とした高さが設定され、かつ内側に折り込んだ時に、皺ができないような口径の若干の口細テーパーがある設定がされている。
【００３８】
前記ウエットスーツ１０本体の内側に取り付けられるインナーフラップは、ウエットスーツの内面とインナーフラップのそれぞれに面ファスナーを設けて脱着自在にしている。
【００３９】
面ファスナーにベルベットファスナーを用いたときは、雌ファスナーをウエットスーツ１０側に付設したほうが肌触りに影響しないし、調節しやすい。
【００４０】
ウエットスーツ生地に関しては、様々なものが開発されてきている。
本考案のインナーフラップは、フラップ部はネオプレンゴム生地で両面に生地を張り身体の肩に合わせて湾曲した面をもつ素材、インナーフラップから立ち上がったインナーネック４の立襟は、外側にジャージ生地を張ってあり内側はネオプレンゴム面として内側面にはジャージを張っていない素材を使用している。
同様に、アウターネック３もその立ち上がりの部分はネオプレンゴム面が首に密着して防水するようにジャージ生地を張っていない生地を用いている。
生地の選定は、適宜ユーザーの要望に合わせて、選択可能である。
【産業上の利用可能性】
【００４１】
本考案のアウターフラップ付ネックエントリーウエットスーツは、サーフィンやウインドサーフィン等のスポーツ用のウエットスーツに関してのものであるが、浸水防止を必要とする作業用のウエットスーツや、首回りの防水を必要とするウエアでは、その簡易な折り込みで防水でき、その構造を転用しての利用価値がある。
その構成部品であるインナーフラップは、着脱自在であり、別売りとすることも可能で、従前のウエットスーツにも後付けで利用することができるものでもある。
【符号の説明】
【００４２】
１０      ウエットスーツ本体
１      開口部のネック
２      アウターフラップ
３      アウターフラップのアウターネック
４      インナーフラップのインナーネック
【図１】
0003175096.tif 000003
【図２】
0003175096.tif 000004
【図３】
0003175096.tif 000005
【図４】
0003175096.tif 000006
【図５】
0003175096.tif 000007
【図６】
0003175096.tif 000008
【図７】
0003175096.tif 000009
【図８】
0003175096.tif 000010